(57)【要約】【課題】サイドベント吹出開口部を常時開放する構成を備えた車両用空調装置において、吹出モードに応じてサイドベント吹出開口部から供給される空気量を制御することが可能な車両用空調装置を提供する。【解決手段】空調ケース３のサイドベント吹出用開口部１６ａ，１６ｂの常時開放している部分に通じるサイドベント用通路１９ａ，１９ｂを空調ケース内に設けられたガイド壁２０ａ，２０ｂで画成するとともに、サイドベント用通路１９ａ，１９ｂの開度をサイドベント制御ドア２３ａ，２３ｂにより調節する。サイドベント制御ドア２３ａ，２３ｂは、回転軸３１に固装された歯車３２をメインレバー２７に形成されたギア３３に噛合させ、モードドア（ベント用ドア２１、デフフット用ドア２２）と連動させる。【選択図】        図４
2007253689.tif 000002
【特許請求の範囲】
【請求項１】
空気流路が形成された空調ケースと、この空調ケースの最下流側に前記空気流路を通過した空気を送出するデフロスト吹出用開口部、センタベント吹出用開口部、及びサイドベント吹出用開口部が少なくとも形成され、前記サイドベント吹出用開口部の少なくとも一部を吹出モードに拘わらず常時開放状態としている車両用空調装置において、
前記サイドベント吹出用開口部の常時開放している部分に通じる通路を前記空調ケース内に設けられたガイド壁で画成するとともに、前記通路の開度を開度調節機構を設けて調節可能としたことを特徴とする車両用空調装置。
【請求項２】
前記開度調節機構は、前記サイドベント吹出用開口部へ通じる通路に配された回転可能な専用ドアによって構成されることを特徴とする請求項１記載の車両用空調装置。
【請求項３】
前記専用ドアは、その回転軸に固装された歯車をモードドアの駆動レバーに形成されたギアに噛合させ、前記モードドアと連動させたことを特徴とする請求項１記載の車両用空調装置。
【発明の詳細な説明】
【技術分野】
【０００１】
この発明は、車両等に用いられる空調装置にあって、空気流路が形成された空調ケースの最下流側に車室両側の上部空間へ空気を供給するサイドベント吹出用開口部を備え、このサイドベント吹出用開口部を常時開放する構成を備えた車両用空調装置に関する。
【背景技術】
【０００２】
従来、車巾方向の中央部に配置される所謂センター置きの空調装置において、サイドベント吹出口に夏季の冷風吹出による冷房作用と、冬季の温風吹出による側面窓ガラスの曇り止め作用を兼務させるために、ベントモード、バイレベルモード、フットモード、フットデフモード、デフロストモードの５つの吹出モードを２枚のドアを連動操作することにより切替設定すると共に、ベント吹出空気通路をセンタベント吹出口用の通路とサイドベント吹出口用の通路とに分岐し、サイドベント吹出用の通路を全モードにおいて開状態に維持する構成が考えられている（特許文献１参照）。
【０００３】
また、空気通路の下流側に、センターベント開口部、サイドベント開口部、デフ開口部を設け、これら開口部がセンタベントドア、サイドベントドア、デフドアによってそれぞれ開閉される車両用空調装置において、空気通路とサイドベント吹出口とを連通するリーク通路を設け、このリーク通路により、サイドベントドアによってサイドベント開口部を全閉した場合でも、サイドベント吹出口から所定量の空気を吹き出し可能とした構成も考えられている。（特許文献２参照）。
【０００４】
【特許文献１】特開平９−２６３１２０号公報
【特許文献２】特開２００３−５４２４２号公報
【発明の開示】
【発明が解決しようとする課題】
【０００５】
ところで、上述のようなサイドベント常開機能を備えた空調装置において、昨今においては、インスツルメントパネルのコストダウンを図るために、サイドデフの吹き出しグリルやダクトを無くし、サイドベント吹出しをサイドデフと共用する構成が検討されている。このような構成においては、デフモード時とベントモード時において、サイドベント吹出用開口部から供給される空気量を多くする要請があるが、フットモード時において、温風が乗員の頭部に吹き付けられて乗員に不快感を与えることを抑制するために、サイドベント吹出用開口部から供給される風量を少なくする要請がある。
【０００６】
しかしながら、サイドベント吹出用の通路を全モードにおいて開状態に維持する前者の構成にあっては、ドア巾を空気通路巾より小さくしてドアの両側に通路を形成し、センタベント開口部を閉成状態にした場合においてもサイドベント吹出口に通じる通路を閉塞しないようにしているので、サイドベント吹出用の通路を介して供給される風量はドア巾や通路巾によって決定され、サイドベント風量を吹出モード毎に制御することができず、フットモード時においては乗員の頭部に吹き付けられる温風が過剰となり、乗員に不快感を与える等の不都合が生じる。
【０００７】
また、後者の構成においても、リーク通路を介してサイドベント吹出口へ供給される空気量は、リーク通路の大きさによって決定されるので、デフモード時やベントモード時の供給風量に合わせてリーク通路が形成されていると、フットモード時においては、乗員の頭部に吹き付けられる温風が過剰となり、同様の不都合が生じる。
【０００８】
本発明は、かかる事情に鑑みてなされたものであり、サイドベント吹出用開口部を常時開放する構成を備えた車両用空調装置において、吹出モードに応じてサイドベント吹出用開口部から供給される空気量を制御することが可能な車両用空調装置を提供することを主たる課題としている。また、このようなサイドベント吹出用開口部から供給される風量を制御するにあたり、既存のリンク構成を利用して簡易に構成することが可能な車両用空調装置を提供することをも課題としている。
【課題を解決するための手段】
【０００９】
上記課題を達成するために、この発明に係る車両用空調装置は、空気流路が形成された空調ケースと、この空調ケースの最下流側に前記空気流路を通過した空気を送出するデフロスト吹出用開口部、センタベント吹出用開口部、及びサイドベント吹出用開口部が少なくとも形成され、前記サイドベント吹出用開口部の少なくとも一部を吹出モードに拘わらず常時開放状態としている構成において、前記サイドベント吹出用開口部の常時開放している部分に通じる通路を前記空調ケース内に設けられたガイド壁で画成するとともに、前記通路の開度を開度調節機構を設けて調節可能としたことを特徴としている（請求項１）。
【００１０】
したがって、サイドベント吹出用開口部の常時開放している部分に通じる通路の開度を開度調節機構により調節すれば、吹出モードに応じてサイドベント吹出用開口部から吹き出す風量を調節することが可能となり、デフモード時やベントモード時ではサイドベント吹出用開口部から供給される空気量を多くし、フットモード時においては、サイドベント吹出用開口部から供給される空気量を抑えて乗員の頭部への温風の吹き付けを抑えることが可能となる。
【００１１】
ここで、開度調節機構は、サイドベント吹出用開口部へ通じる通路に配された回転可能な専用ドアによって構成してもよく（請求項２）、このような構成においては、既存の部品を利用して構造の簡素化を図るために、専用ドアを、その回転軸に固装された歯車をモードドアの駆動レバーに形成されたギアに噛合させ、モードドアと連動させる構成にしてもよい（請求項３）。
【発明の効果】
【００１２】
以上述べたように、本発明によれば、サイドベント吹出用開口部の少なくとも一部が吹出モードに拘わらず常時開放されている車両用空調装置において、サイドベント吹出用開口部の常時開放している部分に通じる通路を前記空調ケース内に設けられたガイド壁で画成するとともに、前記通路の開度を開度調節機構を設けて調節するようにしたので、吹出モードに応じてサイドベント吹出用開口部から供給される空気量を制御することが可能となり、デフモード時とベントモード時はサイドベント吹出用開口部から供給される空気量を多くし、フットモード時においては、サイドベント吹出用開口部から供給される風量を少なくして乗員に不快感を与えることを抑制することが可能となる。
【００１３】
また、開度調節機構をサイドベント吹出用開口部へ通じる通路に配された回転可能な専用ドアによって構成すれば、開度調節を容易に行うことが可能となり、また、回転軸に固装された歯車をモードドアの駆動レバーに形成されたギアに噛合させ、専用ドアとモードドアとを連動させる構成とすれば、既存の構成を利用できるので、専用ドアを駆動させるために大掛かりな機構が不要となり、構造の簡素化を図ることが可能となる。
【発明を実施するための最良の形態】
【００１４】
以下、この発明の最良の実施形態を添付図面を参照しながら説明する。
【００１５】
図１において、車両のセンターコンソール部に搭載されるセンター置きタイプの空調装置１が示されている。この空調装置１は、エンジンルームと車室とを区画する仕切板よりも車室側に配されているもので、内部に空気流路２が形成された空調ケース３に、送風機４、エバポレータ５、ヒータコア６等が車幅方向のほぼ同位置に収納されており、送風機４に対峙して設けられたインテーク部７を介して内気や外気を空調ケース内に導入するようになっている。
【００１６】
この例において、エバポレータ５は送風機４の下流側となる下方に配置され、空調ケース３内に導入される全ての空気を通過させるように立設させ、また、ヒータコア６は、エバポレータ５よりも下流側（車室側）において空調ケース３の下部に立設されている。尚、図中において、前方とは、車両前方側のことであり、エンジンルーム側を指す。また、後方とは、車両後方側のことであり、車室側を指す。
【００１７】
ヒータコア６の上方には、エバポレータ５を通過した空気をヒータコア６をバイパスして下流側へ導く冷風通路８が形成されている。また、ヒータコア６を通過した空気を下流側へ導く温風通路９がヒータコア６の後方から上方に向かって形成されている。
【００１８】
ヒータコア６の前方上部には、冷風通路８を流れる空気と温風通路９を流れる空気との割合を調節するエアミックスドア１０が配置されている。このエアミックスドア１０は例えば板ドアによって構成されているもので、冷風通路８を全閉にする位置から温風通路９を全閉にする位置にかけて回動するようになっており、冷風通路８を全閉にする場合には温風通路９が全開となり、温風通路９を全閉にする場合には、冷風通路８が全開となるようになっている。
【００１９】
そして、ヒータコア６の下流側となる上方には、冷風通路８を通過した空気と温風通路９を通過した空気とを混合させる混合エリア１１が形成され、また、混合エリア１１の下流側となる空調ケース３の上部には、ベント吹出用開口部１２、デフロスト吹出用開口部１３、及びフット吹出用開口部１４が設けられている。
【００２０】
この例において、ベント吹出用開口部１２は、空調ケース３の上端部の車両後方側寄りに設けられ、デフロスト吹出用開口部１３及びフット吹出用開口部１４は、前記空気流路２の最下流端に位置する空調ケース３の上端部の車両前方寄りの部分に設けられている。  
【００２１】
ベント吹出用開口部１２は、空調ケース３の車幅方向略中央に形成されたセンタベント吹出用開口部１５と、このセンタベント吹出用開口部１５の左右両側に形成されたサイドベント吹出用開口部１６ａ，１６ｂとによって構成され、左右両側に設けられたそれぞれのサイドベント吹出用開口部１６ａ，１６ｂは、前後に二分され、前方のサイドベント吹出用開口部１７ａ，１７ｂは空調ケース３に形成された孔として形成され、後方のサイドベント吹出用開口部１８ａ，１８ｂは、空調ケース内に形成されたサイドベント用通路１９ａ，１９ｂの端部に形成されている。このサイドベント用通路１９ａ，１９ｂは、空調ケース３に一体に形成されたガイド壁２０ａ，２０ｂによって画成されているもので、空調ケース３の上端部の角部を覆うように左右方向及び前後方向に添ったガイド壁２０ａ，２０ｂを空調ケース３の上端部から下方に向かって延設して構成され、下方から導かれる空気をサイドベント吹出用開口部１８ａ，１８ｂへ直接導くようにしている。
【００２２】
そして、前記センタベント吹出用開口部１５と前方側のサイドベント吹出用開口部１７ａ，１７ｂとのそれぞれの開度を開口部の前方に軸支されたベント用ドア２１によって同時に調節し、デフロスト吹出用開口部１３とフット吹出用開口部１４とのそれぞれの開度をそれぞれの開口部間に軸支されたデフフット用ドア２２によって調節するようにしている。また、後方側のサイドベント吹出用開口部１８ａ，１８ｂの開度をサイドベント用通路１９ａ，１９ｂに設けられた専用のサイドベント制御ドア２３ａ，２３ｂにより該通路の開度を可変させることで調節するようにしている。
【００２３】
ここで、ベント用ドア２１とデフフット用ドア２２は、片持ち式の板ドアによって構成され、それぞれの軸の一端部を空調ケース３の外側に突設させてその端部にレバー（ベントドアレバー２５、デフフットドアレバー２６）を固装し、ベントドアレバー２５にあっては、空調ケース３の外壁に軸支されたメインレバー２７と連動し、デフフットドアレバー２６にあっては、空調ケース３の外壁に軸支されたデフフットサブレバー２８と連動するようにしている。
【００２４】
具体的には、ベントドアレバー２５に所定の形状の係合溝２５ａを設け、メインレバー２７のアームの先端部に設けられたピン２７ａを係合溝２５ａに係合させることでベントドアレバ２５とメインレバ２７とを連動させ、また、デフフットドアレバ２６に所定の形状の係合溝２６ａを設け、デフフットサブレバー２８のアームの先端部に設けられたピン２８ａを係合溝２６ａに係合させることでデフフットドアレバ２６とデフフットサブレバ２８とを連動させている。そして、メインレバー２７とデフフットサブレバー２８とをロッド２９を介して連結し、メインレバー２７の他のアームの先端部に形成されたピン２７ｂに動力源からの動力を伝達するワイヤ３０が取り付けられている。
【００２５】
したがって、ワイヤ３０を進退させてメインレバー２７を回動させると、ベントドアレバー２５が回動し、ベント用ドア２１がこれに伴って回動することとなる。また、メインレバー２７の回動によりロッド２９を介してデフフットサブレバー２８が回動し、これによりデフフットドアレバー２６が回動してデフフット用ドア２２がこれに伴って回動する。
【００２６】
これに対して、サイドベント制御ドア２３ａ，２３ｂは、共通する回転軸３１に固設されたバタフライ式の板ドアによって構成されている。この回転軸３１の一端部は空調ケース３の外側に突設され、その先端部に歯車３２が固装されている。前記メインレバ２７の周縁には、回転中心と同心をなすギア３３がアームと干渉しない範囲で形成され、前記歯車３２を前記ギア３３に噛合してメインレバー２７の回動に伴って回転軸３１（サイドベント制御ドア２３ａ，２３ｂ）を回転させるようにしている。特にこの例においては、メインレバー２７の可動範囲で回転軸３１（サイドベント制御ドア２３ａ，２３ｂ）を１８０度回転させることができるようになっている。
したがって、サイドベント制御ドア２３ａ，２３ｂは、ベント用ドア２１やデフフット用ドア２２と連動して回動し、吹出モードに応じてサイドベント用通路１９ａ，１９ｂの開度を調整するようになっている。
【００２７】
以上の構成において、次に吹出モード毎にリンクの作動状態、各ドアの位置、及び空気の流れを説明すると、ベント吹出モード時においては、図５に示される状態に設定される。即ち、ベント用ドア２１を全開位置に設定してセンタベント吹出用開口部１５とサイドベント吹出用開口部１７ａ，１７ｂを全開にし、また、サイドベントからの風量を多くするためにサイドベント制御ドア２３ａ，２３ｂをサイドベント用通路１９ａ，１９ｂの形成方向と略平行となる位置に設定する。
【００２８】
したがって、ベントモード時においてはサイドベント吹出用開口部１８ａ，１８ｂから供給される空気量を多くすることが可能となり、空調ケース３の下方から上方へ供給される空気は、センタベント吹出用開口部１５及びサイドベント吹出用開口部１７ａ，１７ｂから吹き出されると共に、サイドベント用通路１９ａ，１９ｂを介してサイドベント吹出用開口部１８ａ，１８ｂから多量に吹き出され、図示しないベントダクトを介してセンタベント吹き出しグリル及びサイドベント吹き出しグリルから車室に供給される。
【００２９】
この状態からワイヤ３０を動かしてメインレバ−２７を回動させ、バイレベル吹出モードに設定すると、図６に示されるような状態となる。即ち、ベント用ドア２１を中間位置に設定してセンタベント吹出用開口部１５とサイドベント吹出用開口部１７ａ，１７ｂとを半開きの状態とし、デフフット用ドア２２をデフ吹出用開口部１３を閉、フット吹出用開口部１４を開とする位置に設定し、また、サイドベント制御ドア２３ａ，２３ｂをサイドベント用通路１９ａ，１９ｂの形成方向と略平行となる位置から略４５度回転させる。
【００３０】
すると、空調ケース３の下方から上方へ供給される空気は、センタベント吹出用開口部１５及びサイドベント吹出用開口部１７ａ，１７ｂから吹き出されると共に、幾分絞られたサイドベント用通路１９ａ，１９ｂを介してサイドベント吹出用開口部１８ａ，１８ｂから吹き出され、図示しないベントダクトを介してセンタベント吹き出しグリル及びサイドベント吹き出しグリルから車室へ供給される。また、残りの空気は、フット吹出用開口部１４からフットダクト４０（図１（ｂ）参照）を介して車室の足元に供給される。
【００３１】
この状態からワイヤ３０を動かしてメインレバ−２７を回動させ、フット吹出モードに設定すると、図７に示されるような状態となる。即ち、ベント用ドア２１を全閉位置に設定してセンタベント吹出用開口部１５とサイドベント吹出用開口部１７ａ，１７ｂを閉塞し、デフフット用ドア２２をデフ吹出用開口部１３を閉、フット吹出用開口部１４を開とする位置に設定し、また、サイドベント制御ドア２３ａ，２３ｂをさらに略４５度回転させてサイドベント用通路１９ａ，１９ｂの形成方向と略垂直となる位置に設定し、サイドベント用通路１９ａ，１９ｂの開度を最小にする。
【００３２】
すると、空調ケース３の下方から上方へ供給される空気は、センタベント吹出用開口部１５及びサイドベント吹出用開口部１７ａ，１７ｂから吹き出されることなくフット吹出用開口部１４へ導かれ、フットダクト４０（図１（ｂ）参照）を介して車室に供給される。この状態においては、サイドベント用通路１９ａ，１９ｂの開度が最小となっているので、少量の空気がサイドベント吹出用開口部１８ａ，１８ｂから供給されて図示しないサイドベント吹き出しグリルから車室へ吹き出されるが、サイドベント吹出用開口部１８ａ，１８ｂへ導かれる空気は最小の状態であり、温風が乗員の頭部に吹き付けられて乗員に不快感を与えることが抑制される。
【００３３】
この状態からワイヤ３０を動かしてメインレバ−２７を回動させ、デフフット吹出モードに設定すると、図８に示されるような状態となる。即ち、ベント用ドア２１を全閉位置に設定してセンタベント吹出用開口部１５とサイドベント吹出用開口部１７ａ，１７ｂを閉塞し、デフフット用ドア２２を中間位置に設定してデフ吹出用開口部１３とフット吹出用開口部１４を半開きの状態に設定し、また、サイドベント制御ドア２３ａ，２３ｂをさらに略４５度回転させてサイドベント用通路１９ａ，１９ｂと略平行となる位置から略４５度回転させた位置に設定し、サイドベント用通路１９ａ，１９ｂの開度を幾分開く。        
【００３４】
すると、空調ケース３の下方から上方へ供給される空気は、センタベント吹出用開口部１５及びサイドベント吹出用開口部１７ａ，１７ｂから吹き出されることなくデフ吹出用開口部１３およびフット吹出用開口部１４へ導かれ、図示しないデフダクトやフットダクト４０を介して車室に供給される。この状態においては、サイドベント用通路１９ａ，１９ｂが幾分開いた状態となっているので、この幾分絞られたサイドベント用通路１９ａ，１９ｂを介して空気がサイドベント吹出用開口部１８ａ，１８ｂから吹き出され、図示しないサイドベント吹き出しグリルから車室へ供給される。
【００３５】
この状態からワイヤ３０を動かしてメインレバ−２７を回動させ、デフ吹出モードに設定すると、図９に示されるような状態となる。即ち、ベント用ドア２１を全閉位置に設定してセンタベント吹出用開口部１５とサイドベント吹出用開口部１７ａ，１７ｂを閉塞し、デフフット用ドア２２をデフ吹出用開口部１３を開、フット吹出用開口部１４を閉とする位置に設定し、また、サイドベント制御ドア２３ａ，２３ｂをさらに略４５度回転させてサイドベント用通路１９ａ，１９ｂの形成方向と略平行となる位置に設定し、サイドベント用通路１９ａ，１９ｂの開度を最大にする。
【００３６】
すると、空調ケース３の下方から上方へ供給される空気は、センタベント吹出用開口部１５及びサイドベント吹出用開口部１７ａ，１７ｂから吹き出されることなくデフ吹出用開口部１３へ導かれ、図示しないデフダクトを介して車室に吹き出される。この状態においては、サイドベント用通路１９ａ，１９ｂの開度が全開状態となっているので、多量の空気がサイドベント用通路１９ａ，１９ｂを介してサイドベント吹出用開口部１８ａ，１８ｂへ導かれ、図示しないサイドベント吹き出しグリルから車室に供給される。したがって、デフ吹出モード時においてはサイドベント吹出用開口部１８ａ，１８ｂから供給される空気量を多くすることが可能となる。
【００３７】
以上のように、ガイド壁２０ａ，２０ｂによって画成されたサイドベント用通路１９ａ，１９ｂをサイドベント制御ドア２３ａ，２３ｂによって開度調整したので、吹出モードに応じてサイドベント吹出用開口部１８ａ，１８ｂから供給される空気量を制御することが可能となり、デフモード時とベントモード時はサイドベント吹出用開口部１８ａ，１８ｂから供給される空気量を多くし、フットモード時においては、サイドベント吹出用開口部１８ａ，１８ｂから供給される風量を少なくして乗員に不快感を与えることを抑制することが可能となる。
【００３８】
また、サイドベント制御ドア２３ａ，２３ｂをサイドベント吹出用開口部１８ａ，１８ｂへ通じるサイドベント用通路１９ａ，１９ｂに配された専用のドアによって構成したので、開度調節を容易に行うことが可能となり、また、回転軸３１に固装された歯車３２をモードドアを駆動するメインレバー２７の周縁に形成されたギア３３に噛合させ、サイドベント制御ドア２３ａ，２３ｂとモードドア（ベント用ドア２１、デフフット用ドア２２）とを連動させる構成としたので、既存のリンク構成を利用することが可能となり、サイドベント制御ドア２３ａ，２３ｂを駆動させるために大掛かりな機構が不要となり、構造の簡素化を図ることが可能となる。また、サイドベント制御ドア２３ａ，２３ｂを備えた回転軸３１の脱着だけでサイドベント吹出用開口部１８ａ，１８ｂからの吹出風量を制御する機構の脱着が可能となるので、仕様の異なる空調ユニットに容易に対応することが可能となる。
【００３９】
尚、以上の各構成においては、サイドベント吹出用開口部１６ａ，１６ｂをセンタベント吹出用開口部１５の両側に形成した車両用空調装置について説明したが、サイドベント吹出用開口部１６ａ，１６ｂを車幅方向の略中央に配置し、センタベント吹出用開口部１５をその両側に形成する車両用空調装置においても、サイドベント制御用ドアを回転軸３１の略中央に設けることで同様の作用効果を得ることが可能となる。
【図面の簡単な説明】
【００４０】
【図１】図１は、本発明に係る車両用空調装置の全体構成を示す図であり、（ａ）はその断面図、（ｂ）はその斜視図である。
【図２】図２は、図１の車両用空調装置の吹出用開口部付近を示す側面図である。
【図３】図３は、本発明に係る車両用空調装置のモードドアとリンク機構を示す斜視図である。
【図４】図４は、図１に係る車両用空調装置の吹出用開口部付近を示す斜視図である。
【図５】図５は、ベントモード時の状態を示す図であり、（ａ）はリンクの作動状態を示す図、（ｂ）は、各モードドアの位置と風の流れを示す図である。
【図６】図６は、バイレベルモード時の状態を示す図であり、（ａ）はリンクの作動状態を示す図、（ｂ）は、各モードドアの位置と風の流れを示す図である。
【図７】図７は、フットモード時の状態を示す図であり、（ａ）はリンクの作動状態を示す図、（ｂ）は、各モードドアの位置と風の流れを示す図である。
【図８】図８は、デフフットモード時の状態を示す図であり、（ａ）はリンクの作動状態を示す図、（ｂ）は、各モードドアの位置と風の流れを示す図である。
【図９】図９は、デフモード時の状態を示す図であり、（ａ）はリンクの作動状態を示す図、（ｂ）は、各モードドアの位置と風の流れを示す図である。
【符号の説明】
【００４１】
１  空調装置
２  空気流路
３  空調ケース
１３  デフロスト吹出用開口部
１５  センタベント吹出用開口部
１６ａ，１６ｂ，１７ａ，１７ｂ，１８ａ，１８ｂ  サイドベント吹出用開口部
１９ａ，１９ｂ  サイドベント用通路
２０ａ，２０ｂ  ガイド壁
２１  
２３ａ，２３ｂ  サイドベント制御ドア
２７  メインレバー
３１  回転軸
３２  歯車
３３  ギア
【図１】
2007253689.tif 000003
【図２】
2007253689.tif 000004
【図３】
2007253689.tif 000005
【図４】
2007253689.tif 000006
【図５】
2007253689.tif 000007
【図６】
2007253689.tif 000008
【図７】
2007253689.tif 000009
【図８】
2007253689.tif 000010
【図９】
2007253689.tif 000011